(57)【要約】【課題】表示部の剛性向上、測量精度低下防止を図った測量機を提供する。【解決手段】望遠鏡（４）を鉛直回転可能に保持するＵ字形状の支柱部（３）と、該支柱部（３）の前面に設けられる表示部（５）とを備え、前記表示部（５）の背面には、該表示部の背面を覆い、前記支柱部（３）に固定される金属製の補助部材（７）が設けられていることを特徴とする測量機（１）を提供する。測量機（１）を保持するため表示部（５）背面に手を回そうとすると、支柱部（３）に固定された補助部材（７）を把持することになり、表示部（５）および支柱部（３）に与える負荷を低減できる。【選択図】図３
2019158340.tif 000002
【特許請求の範囲】
【請求項１】
望遠鏡を鉛直回転可能に保持するＵ字形状の支柱部と、該支柱部の前面に設けられる表示部とを備え、
前記表示部の背面には、該表示部の背面を覆い、前記支柱部に固定される金属製の補助部材が設けられている、
ことを特徴とする測量機。
【請求項２】
前記補助部材には貫通孔が設けられており、前記補助部材は該貫通孔を介して、前記表示部と共に前記支柱部に共締め固定される、
ことを特徴とする請求項１に記載の測量機。
【請求項３】
前記表示部は前記補助部材に固定され、かつ前記補助部材は前記支柱部に固定される、
ことを特徴とする請求項１に記載の測量機。
【請求項４】
前記補助部材は下部が屈曲しており、該屈曲した屈曲部は前記表示部の下面と面一である、
ことを特徴とする請求項１〜請求項３のいずれかに記載の測量機。
【請求項５】
前記表示部は背面に凸部を有し、前記補助部材は前記凸部に嵌合する嵌合孔が設けられており、前記表示部は前記補助部材に嵌合した状態で前記支柱部に固定される、
ことを特徴とする請求項１〜請求項４のいずれかに記載の測量機。
【発明の詳細な説明】
【技術分野】
【０００１】
本発明は、測量機、特に表示部の剛性向上、測量精度低下防止を図った測量機に関する。
【背景技術】
【０００２】
測量機は、整準部と、整準部に固設される基盤部と、基盤部上に鉛直軸周りに水平回転可能に設けられたＵ字形状の支柱部と、支柱部に水平軸周りに鉛直回転可能に保持される望遠鏡から構成され、支柱部の前面には測量結果や状態等を表示する表示部が設けられているのが一般的である（例えば特許文献１）。
【先行技術文献】
【特許文献】
【０００３】
【特許文献１】特開２０１７−１０１９３７号
【発明の概要】
【発明が解決しようとする課題】
【０００４】
このような測量機が収納されたケースから取り出される際、前面にせり出している表示部が掴まれて取り出されることが往々にして見られる。しかし、その場合、負荷に耐えられず表示部が歪んでしまったり、最悪表示部が設けられた支柱部も歪んでしまったりなど、測量に悪影響を与えてしまう懸念がある。
【０００５】
本発明は、このような事情に鑑みて、表示部の剛性を向上させ、測量精度低下防止を図った測量機を提供することを目的とする。
【課題を解決するための手段】
【０００６】
前記目的を達成するために、本発明のある態様の測量機は、望遠鏡を鉛直回転可能に保持するＵ字形状の支柱部と、該支柱部の前面に設けられる表示部とを備え、表示部の背面には、該表示部の背面を覆い、支柱部に固定される金属製の補助部材が設けられているよう構成した。
【０００７】
この態様によれば、測量機を保持するため表示部背面に手を回そうとすると、支柱部に固定された補助部材を把持することになり、表示部に与える負荷を低減できる。
【０００８】
好ましくは、補助部材には貫通孔が設けられており、補助部材は該貫通孔を介して、表示部と共に支柱部に共締め固定されるものとする。この態様によれば、従来の構成に補助部材を追加するだけの構成となり、支柱部と表示部を設計変更することなく補助部材を支柱部に固定できる。
【０００９】
好ましくは、表示部は補助部材に固定され、かつ補助部材は支柱部に固定されるものとする。この態様によれば、金属製の補助部材が支柱部に直接固定るため、強固に固定できる。
【００１０】
好ましくは、補助部材は下部が屈曲しており、該屈曲した屈曲部は前記表示部の下面と面一であるものとする。この態様によれば、補助部材が保持され易い形状であり、表示部下から手をかけて測量機を保持した際にも補助部材を把持することになり、表示部にかかる負荷を低減できる。
【００１１】
好ましくは、表示部は背面に凸部を有し、補助部材は凸部に嵌合する嵌合孔が設けられており、表示部は補助部材に嵌合した状態で支柱部に固定されるものとする。この態様によれば、表示部が補助部材に嵌合しながら支持部に固定されるため、組み付けがしやすく、また両者をズレなく強固に固定できる。
【発明の効果】
【００１２】
以上の説明から明らかなように、本発明によれば、表示部の剛性を向上させ、測量精度の低下防止を図った測量機を提供することができる。
【図面の簡単な説明】
【００１３】
【図１】実施の形態に係る測量機の正面図である。
【図２】同測量機の右側面図である。
【図３】同測量機の支柱部の分解斜視図である。
【図４】表示部筐体であり、（A）が正面図、（B）が右側面図、（C）が背面斜視図である。
【図５】補強部材であり、（A）が正面図、（B）が右側面図、（C）が背面斜視図である。
【図６】表示部筐体と補強板が嵌合した状態の背面斜視図である。
【図７】変形例であり、表示部筐体、補強板、および支柱部の分解斜視図である。
【発明を実施するための形態】
【００１４】
以下、本発明の測量機の具体的な実施形態を、図面を参照しながら説明する。実施の形態は、発明を限定するものではなく例示であって、実施の形態に記述されるすべての特徴やその組み合わせは、必ずしも発明の本質的なものであるとは限らない。
【００１５】
（実施形態）
図１は本発明の実施形態に係る測量機１の正面図であり、図２は測量機１の右側面図である。図３は支柱部３の分解斜視図である。
【００１６】
測量機１は、測距および測角機能を備えたトータルステーションであり、整準部２と、整準部２に固設される基盤１４と、基盤１４に鉛直軸周りに水平回転可能に支承された支柱部３と、望遠鏡４とを備える。
【００１７】
支柱部３は、外形形状がＵ字形状をしており、基盤１４に保持される根本部３１と、根本部３１から上方に延びる一対の托架部３２，３２を有する。一対の托架部３２，３２には水平軸１１が設けられ、水平軸１１が望遠鏡４を鉛直回転可能に支承する。支柱部３は剛性を持たせながら複雑な形状に対応させるため、アルミニウム合金をダイキャストにより形成したアルミダイキャスト品である。
【００１８】
支柱部３の前面には測量結果や状態を表示する表示部５が設けられており、表示部５は、作業者が覗き込み確認しやすいよう鉛直より少し上を向いた状態となっている。根本部３１には表示部５を固定するため前面にせり出した支持部３３が設けられており、支持部３３の端面は、表示部５の傾きに合わせた斜面となっている。
【００１９】
表示部５は、外側から表示部カバー１０、表示部筐体９、第１のパッキン６、補助部材７、第２のパッキン８で構成され、支持部３３に固定されている。表示部５の前面には情報を表示する液晶ディスプレイや数値等を入力するためのスイッチが備えられている。
【００２０】
第１のパッキン６、第２のパッキン８は、リング形状で、固定部分の縁部に全周に渡って密着し、測量機１内部にチリや埃、水滴などが侵入するのを防いでいる。パッキンは一般的な測量機においても表示部を固定する際に用いられるが、本実施形態では表示部筐体９の背面に補助部材７が設けられているため、表示部筐体９背面の第１のパッキン６に加え、補助部材７の背面にも更に第２のパッキン８が備えられている。
【００２１】
図３に示すように、表示部カバー１０は表示部筐体９にカバー用ボルト１３で固定され、表示部筐体９は、間に第１のパッキン６を挟持しながら補助部材７に嵌合し、さらに補助部材７の背面に第２のパッキン８を挟持しながら支柱部３のネジ孔３４に筐体用ボルト１２で固定される。即ち、表示部筐体９、第１のパッキン６、補助部材７、および第２のパッキン８が共締めされている。
【００２２】
図４は表示部筐体９であり、第１のパッキン６が係合した状態を示し、（Ａ）が正面図、（Ｂ）が右側面図、（Ｃ）が背面斜視図である。
【００２３】
表示部筐体９は、液晶ディスプレイ等の機器を保持するフレームであり、樹脂などを射出成形などにより形成された薄肉の樹脂成型品である。中央上部には液晶ディスプレイの形状に合わせて矩形状に背面に窪む凹部９１が形成されている。凹部９１背面の縁部の全周には第１のパッキン６が係合する。
【００２４】
凹部９１の底面の四隅には、凹部９１の底面よりさらに背面に向かって窪む袋部９２が形成されている。袋部９２の底面には筐体貫通孔９３が設けられており、筐体貫通孔９３を介して筐体用ボルト１２が支持部３３に設けられたネジ孔３４に螺着することで、表示部筐体９は支持部３３に固定される。
【００２５】
表示部筐体９の四隅、および上下縁部の中央の計６箇所に、雌ネジ部９４が設けられている。雌ネジ部９４には雌ネジが埋設されている。
【００２６】
表示部カバー１０には雌ネジ部９４に対応する位置に貫通孔が設けられており、表示部カバー１０は、表示部筐体９を前面から覆い、カバー用ボルト１３で表示部筐体９に締結される。
【００２７】
図５は補助部材７であり、（Ａ）が正面図、（Ｂ）が右側面図、（Ｃ）が背面斜視図である。図６は、補助部材７と表示部筐体９が嵌合した状態を示す背面斜視図である。
【００２８】
補助部材７は、補助部材本体７１、帯板７２、帯板用ボルト７３から構成される。補助部材７は表示部筐体９の背面に配置され、表示部筐体９の背面を覆い支持部３３に固定される。
【００２９】
帯板７２は、補助部材本体７１の背面に沿って左右に延びる上下一対の帯状の平板で、背面から補助部材本体７１に帯板用ボルト７３でそれぞれ三箇所ずつ固定されている。帯板用ボルト７３は、背面から帯板７２に設けられた帯板用ネジ孔７４に螺着した状態で、その先端が帯板７２の前面から突出しないよう長さが調整されている。
【００３０】
補助部材本体７１は、金属製の平板で、表示部筐体９の背面形状に合わせて屈曲しており、凹部９１の下端に対応する位置で一度緩く前方に屈曲し、さらに下端部でもう一度大きく前方に屈曲している。下端部の屈曲した屈曲部７７は組み付けされた状態で、表示部筐体９の下面と面一となる。
【００３１】
補助部材本体７１は、上方と中ほどの左右の端部に円形に切り取られた嵌合孔７５を有し、この四箇所の嵌合孔７５に袋部９２が嵌合する。帯板７２はこの嵌合孔７５に対応する位置に固定されており、帯板７２の各端部７２Ａは袋部９２の深さ分だけ背面に向かって屈曲し、端部７２Ａの前面が袋部９２の背面を受け止めるように形成されている。背面に突き出る袋部９２が嵌合孔７５に嵌合するため、組付けがしやすく、また両者をずれなく固定できる。
【００３２】
帯板７２の左右の端部７２Ａには補助部材貫通孔７６が形成されており、補助部材７はこの補助部材貫通孔７６を介して、支持部３３に表示部筐体９と共締めされる。
【００３３】
補助部材７は表示部筐体９の背面を覆いその剛性を向上させる役割を担う。本実施形態では、複雑な形状を有する表示部筐体９の背面に対応するために、補助部材７は補助部材本体７１、帯板７２等の複数の部品から構成されたが、一枚の板金をプレス加工することで形成しても好ましい。
【００３４】
（作用効果）
従来の測量機は、収納ケースから取り出す際に前面にせり出している表示部が掴まれることがままあった。樹脂成型品である表示部は剛性が弱いため、歪んで変形してしまったり、取り付けられている支柱部にも思わぬ箇所に負荷がかかり、測量精度にも悪影響を与える懸念があった。
【００３５】
本実施形態では、表示部筐体９に、表示部筐体９の背面を覆い支持部３３に固定される金属製の補助部材７が設けられるため、測量機１を収納ケースから取り出すために表示部５を掴もうと背面側へ手を回すと、支持部３３に固定された補助部材７を把持することになる。表示部５（表示部筐体９や表示部カバー１０）、加えて支柱部３にかかる負荷を低減することができる。表示部５の剛性を強化し、表示部５および支柱部３の変形を防ぎ、測量機１の測量精度の低下防止を図ることができる。
【００３６】
本実施形態は、従来の構成に補助部材７を追加した構成であり、補助部材７は表示部筐体９と共締めされ、支柱部３に固定されている。表示部５を固定するために従来から備えられていた支持部３３、ネジ孔３４、および筐体貫通孔９３をそのまま利用して補助部材７を固定しており、補助部材７が追加される分の前方へのオフセット量の増加は、筐体用ボルト１２のボルト長を調整することで対応している。即ち、支柱部３及び表示部筐体９の形状を変更することなく、補助部材７を追加して表示部５の剛性を向上させている。設計変更を伴わず、低コストで効果が高い構成となっている。
【００３７】
さらに補助部材７（補助部材本体７１）は表示部筐体９の背面に沿った形状をし、下部には表示部筐体９の下面と面一な屈曲部７７を有する。下から持ち上げやすい形状であり、作業者が表示部５の下から手をかけて測量機１を保持した際にも補助部材７が把持されるため、表示部５にかかる負荷を低減できる。
【００３８】
（変形例）
図７は、本実施形態の変形例である。表示部筐体９、補助部材７、支柱部３（支持部３３）の組付け状態を示すための分解斜視図であり、第１のパッキン６及び第２のパッキン８は省略している。
【００３９】
本形態では、表示部筐体９の袋部９２が、凹部９１の底面ではなく、凹部９１の左右に形成されている。袋部９２の背面は、凹部９１の背面と面一となっている。補助部材７には袋部９２の位置に対応して、左右に突き出た耳部７８が設けられている。耳部７８は中央に耳部ネジ孔７９を有し、筐体用ボルト１２が袋部９２の筐体貫通孔９３を介して耳部ネジ孔７９に螺着することで、表示部筐体９は補助部材７に固定される。
【００４０】
補助部材７は、背面の帯板７２の補助部材貫通孔７６を介して支持部３３のネジ孔３４にボルト１５で直接固定される。帯板７２は、前述の実施形態同様、帯板７２の端部７２Ａが背面側へせり出すように屈曲しているため、ボルト１５は締結された状態で補助部材本体７１の前面から頭部が突出することがない。
【００４１】
即ち、補助部材７が支持部３３に直接ネジ固定され、表示部筐体９は補助部材７にネジ固定されている。この構成によれば、補助部材７が支柱部３に直接締結されるため、補助部材７を強固に固定できる。
【００４２】
以上、本発明の好ましい実施形態や変形例について述べたが、上記の実施形態や変形例は本発明の一例であり、これらを当業者の知識に基づいて組み合わせることが可能であり、そのような形態も本発明の範囲に含まれる。
【符号の説明】
【００４３】
１  測量機
３  支柱部
４  望遠鏡
７  補助部材
９  表示部筐体
１０  表示部カバー
７１補助部材本体
７５嵌合孔
７６補助部材貫通孔
７７屈曲部
９２袋部
９３筐体貫通孔
【図１】
2019158340.tif 000003
【図２】
2019158340.tif 000004
【図３】
2019158340.tif 000005
【図４】
2019158340.tif 000006
【図５】
2019158340.tif 000007
【図６】
2019158340.tif 000008
【図７】
2019158340.tif 000009